(57)【特許請求の範囲】
【請求項１】
内面及び第１の側壁を有する第１の導電性区分と、
内面及び第２の側壁を有する第２の導電性区分と、
前記第１の導電性区分の前記内面へ取り付けられた第１のブラケットと、
前記第２の導電性区分の前記内面へ取り付けられた第２のブラケットと、
前記第１の導電性区分と前記第２の導電性区分が一体に連結されるようにして前記第１及び前記第２のブラケットを少なくとも部分的に包封する絶縁材料から製作されている連結区分と、を備えている電子デバイス。
【請求項２】
前記第１及び前記第２の導電性区分の前記第１及び第２の側壁同士は、所定の距離のギャップによって隔てられており、前記連結区分の一部分は前記ギャップ内に留置されている、請求項１に記載の電子デバイス。
【請求項３】
前記第１及び前記第２のブラケットは、それぞれ、
平板状部材と、
前記平板状部材から離れるように延びる複数の足部材であって、当該足部材のそれぞれの一部分は前記第１及び前記第２の導電性区分の各々の前記内面へ取り付けられている、複数の足部材と、を備えている、請求項１に記載の電子デバイス。
【請求項４】
前記平板状部材は、前記連結区分の一部分を中に留置させる貫通孔を備えている、請求項３に記載の電子デバイス。
【請求項５】
前記複数の足部材は、第１、第２、及び第３の足部材を備えている、請求項３に記載の電子デバイス。
【請求項６】
前記第１及び前記第２の足部材及び前記平板状部材は、各自の第１及び第２のブラケットの縁を形成している、請求項５に記載の電子デバイス。
【請求項７】
前記第３の足部材は、前記連結区分の一部分を貫通留置させるスリットを備えている、請求項５に記載の電子デバイス。
【請求項８】
前記連結区分は、前記第１の導電性区分と前記第２の導電性区分の間に存在するギャップに沿った断面を跨いで存在する中心軸を有しており、前記平板状部材は前記中心軸に実質的に整列している、請求項３に記載の電子デバイス。
【請求項９】
前記第１のブラケットへ取り付けられていて前記連結区分によって部分的に包封されている接点部材であって、露出していて前記連結区分によって包封されていない部分を備える接点部材、を更に備えている、請求項１に記載の電子デバイス。
【請求項１０】
内面及び第１の側壁を有する第１の導電性区分を提供する工程と、
内面及び第２の側壁を有する第２の導電性区分を提供する工程と、
第１のブラケットを前記第１の導電性区分の前記内面へ取り付ける工程と、
第２のブラケットを前記第２の導電性区分の前記内面へ取り付ける工程と、
連結区分を成形して前記第１及び前記第２のブラケットを少なくとも部分的に包封し、前記第１の導電性区分と前記第２の導電性区分を機械的に一体に連結する工程であって、前記連結区分は絶縁材料を含み、前記第１及び前記第２の導電性区分の前記第１及び第２の側壁同士は前記連結区分の一部分によって占められる所定の距離のギャップによって隔てられている、連結する工程と、を備えている方法。
【請求項１１】
前記連結区分を成形する工程は、前記第１及び前記第２の導電性区分を少なくとも部分的に包封するために誘電性材料を射出成形する工程を備えている、請求項１０に記載の方法。
【請求項１２】
第１及び第２のブラケットがそれぞれ取り付けられている前記第１及び前記第２の導電性区分を定位置に固定する工程と、
前記第１の導電性区分と前記第２の導電性区分の間の前記所定の距離の前記ギャップを薄く切り取る工程と、を更に備えている、請求項１０に記載の方法。
【請求項１３】
前記連結区分が成形された後、前記第１及び前記第２の導電性区分の外面及び前記ギャップの中で露出している前記連結区分の一部分を化粧仕上げする工程を更に備えている、請求項１０に記載の方法。
【請求項１４】
接点部材を前記第１のブラケットへ取り付ける工程を、当該接点部材及び前記第１のブラケットを少なくとも部分的に包封するために前記連結区分を成形する工程の前に更に備えており、前記接点部材の一部分は露出させ前記連結区分によって包封させない、請求項１０に記載の方法。
【請求項１５】
前記接点部材の前記部分へ導体を接続する工程を更に備えている、請求項１４に記載の方法。
【請求項１６】
前記連結区分を成形する工程は、射出成形、圧縮成形、トランスファー成形、押出成形、ブロー成形、熱成形、真空成形、又は回転成形のうちの１つを備えている、請求項１０に記載の方法。
【請求項１７】
第１の導電性区分と、第２の導電性区分と、前記第１の導電性区分を前記第２の導電性区分へ連結する連結区分と、を備え、
前記連結区分は、絶縁材料を含み、前記第１または前記第２の導電性区分の内面へ取り付けられている少なくとも１つのブラケットを少なくとも部分的に包封する、電子デバイスの外周構成要素。
【請求項１８】
前記第１の導電性区分及び前記第２の導電性区分のうちの少なくとも１つは、前記電子デバイスのアンテナとして動作可能である、請求項１７に記載の外周構成要素。
【請求項１９】
前記連結区分は、１つのブラケットを包封している非対称連結区分である、請求項１７に記載の外周構成要素。
【請求項２０】
前記連結区分は、２つのブラケットを包封している非対称連結区分である、請求項１７に記載の外周構成要素。
【請求項２１】
前記連結区分は、２つのブラケットを包封している対称連結区分である、請求項１９に記載の外周構成要素。
【請求項２２】
前記第１の導電性区分は、一体化型連結構造を備えており、前記連結区分は前記一体型連結構造内に留置されている、請求項１９に記載の外周構成要素。
【発明の詳細な説明】
【技術分野】
【０００１】
本ＰＣＴ出願は、「電子デバイスの電気的に絶縁されている区分同士を連結するためのシステム及び方法」という名称で２０１１年８月３１日に出願されている米国仮特許出願第６１／５２９，７１０号並びに「電子デバイスの電気的に絶縁されている区分同士を連結するためのシステム及び方法」という名称で２０１１年９月３０日に出願されている米国非仮特許出願第１３／２５１，０３９号に対する優先権を主張し、それらを参考文献としてそっくりそのまま援用する。
【０００２】
電気デバイスの区分同士を連結するためのシステム及び方法が開示されている。具体的には、電子デバイスの構成要素は２つ又はそれ以上の区分から組み立てられているものであって、これらの区分同士がナックルを使用して一体に連結されている。
【背景技術】
【０００３】
携帯式電子デバイスは、様々な手法を使用して製作されている。中には、幾つかの構成要素を一体に組み立てることによって電子デバイスが製作される場合がある。これらの「構成要素」には、組み合わせてデバイスエンクロージャ（例えばデバイス「ハウジング」）を形成させる外部構成要素、並びに電子デバイスの構造的支持又は他の機能性を提供することのできる内部構成要素（例えば、内部構成要素にはマイクロチップがある）が含まれる。電子デバイスの設計に基づき、それら構成要素は、金属、プラスチック、又は何れかの他の材料の様な、任意の適した（単数又は複数の）材料から形成されていよう。
【０００４】
中には、電子デバイスの各種構成要素が電気回路の部分として動作している場合もある。例えば、特定の構成要素が、電子デバイスの別の部分に対して、抵抗器として又はコンデンサとして働いていることがあるかもしれない。別の例として、構成要素が電子デバイスのアンテナ組立体の部分として機能していることもあろう。構成要素が単一の電気回路でしか使用されないのなら、構成要素を単一の導電性材料片から製作することができる。しかしながら、同じ構成要素が幾つかの異なった電気回路で使用されるなら、構成要素は導電性要素の幾つかの「区分」から製作される必要があろう。但し、この場合、確実にそれぞれの区分がそれ自身の電気回路の中で正しく動作するようにするためには、導電性区分のそれぞれを絶縁材料又は他の非導電性材料で分離することが必要であろう。
【先行技術文献】
【特許文献】
【０００５】
【特許文献１】米国仮特許出願第６１／５２９，７１０号
【特許文献２】米国非仮特許出願第１３／２５１，０３９号
【発明の概要】
【０００６】
本願は電子デバイスの区分同士を連結するためのシステム及び方法に向けられている。一部の実施形態では、電子デバイスは、外周構成要素及び／又は他の構成要素の様な幾つかの構成要素から形成されている。外周構成要素は、電子デバイスのためのハウジング構造を、電子デバイスを包囲することによって提供するものである。一部の事例では、この外周構成要素は、２つ又はそれ以上の「区分」から組み立てられている。その場合、これらの区分を一体に連結するのにナックルを使用することができる。
【０００７】
それぞれのナックルは、区分へ溶接されているか又は区分の一体部分であるかどちらかである連結構造の中及び／又は周りに成形されている。連結構造は、区分の内面へ溶接されているブラケットであってもよく、ブラケットはキャパシタンスを最小化する断面を有するように製作されていてもよい。１つの実施形態では、第１のブラケットが第１の導電性区分へ溶接され、第２のブラケットが第２の導電性区分へ溶接されている。絶縁材料から製作されているナックルが、第１の導電性区分と第２の導電性区分が一体に連結されるようにして第１及び第２のブラケットの内及び周りに重ね成形されている。第１及び第２の導電性区分及びそれら各々のブラケットは、所定の距離だけ離間されており、それにより、確実に導電性区分同士が電気的に絶縁されるようにしている。別の実施形態では、ナックルは、第１導電性区分のブラケットと接合すると共に第２導電性区分の一体型連結構造と接合することによって、２つの導電性区分を物理的に一体に連結することができる。
【０００８】
本発明の上記及び他の特徴、その性質及び様々な利点は、次に続く詳細な説明が添付図面と関連付けて考察されれば、より明らかとなるであろう。
【図面の簡単な説明】
【０００９】
【図１】本発明の一部の実施形態による電子デバイスの例示的な構成要素の概略図を示している。
【図２Ａ】本発明の一部の実施形態による例示的なブラケットの図である。
【図２Ｂ】図２Ａのブラケットの別の図である。
【図２Ｃ】図２Ａのブラケットの別の図である。
【図２Ｄ】図２Ａのブラケットの別の図である。
【図２Ｅ】図２Ａのブラケットの別の図である。
【図２Ｆ】図２Ａのブラケットの別の図である。
【図２Ｇ】図２Ａのブラケットの別の図である。
【図２Ｈ】本発明の一部の実施形態による別の例示的なブラケットの図である。
【図２Ｉ】図２Ｈのブラケットの別の図である。
【図２Ｊ】図２Ｈのブラケットの別の図である。
【図２Ｋ】図２Ｈのブラケットの別の図である。
【図２Ｌ】図２Ｈのブラケットの別の図である。
【図２Ｍ】図２Ｈのブラケットの別の図である。
【図２Ｎ】図２Ｈのブラケットの別の図である。
【図３Ａ】本発明の一部の実施形態による、区分へ溶接されたブラケットの例示的な図を示している。
【図３Ｂ】図３Ａと共に、本発明の一部の実施形態による、区分へ溶接されたブラケットの例示的な図を示している。
【図４】本発明の一部の実施形態による、区分へ溶接された別のブラケットの例示的な図を示している。
【図５Ａ】本発明の１つの実施形態による特定のナックル設計の図を示している。
【図５Ｂ】図５Ａと共に、本発明の１つの実施形態による特定のナックル設計の図を示している。
【図６Ａ】本発明の１つの実施形態による別の特定のナックル設計の概略図を示している。
【図６Ｂ】図６Ａと共に、本発明の１つの実施形態による特定のナックル設計の概略図を示している。
【図６Ｃ】図６Ａ及び図６Ｂと共に、本発明の１つの実施形態による特定のナックル設計の概略図を示している。
【図７】本発明の１つの実施形態による図６Ａのナックルの断面図を示している。
【図８Ａ】本発明の１つの実施形態による更に別の特定のナックル設計の概略図を示している。
【図８Ｂ】図８Ａと共に、本発明の１つの実施形態による特定のナックル設計の概略図を示している。
【図８Ｃ】図８Ａ及び図８Ｂと共に、本発明の１つの実施形態による特定のナックル設計の概略図を示している。
【図９】本発明の一部の実施形態による、２つの区分を機械的に一体に連結するための例示的なプロセスを示している。
【発明を実施するための形態】
【００１０】
電子デバイスは、一体に組み立てて電子デバイスの内部及び／又は外部の機構を形成させる幾つかの構成要素を含んでいよう。例えば、１つ又はそれ以上の内部構成要素（例えば電気回路構成及び／又は内部の支持構造）を外部構成要素（例えばハウジング構造）内に設置して所望の機能性を持つ電子デバイスを提供することができる。ここでの使用に際し、「構成要素」という用語は、特定の電子回路（例えばマイクロチップ）、電子デバイスのハウジングを形成している部材（例えば、背面板、外周構成要素、など）、内部支持構造（例えば中間板）、などの様な、電子デバイスの区別できるエンティティを指す。
【００１１】
一部の事例では、構成要素は、２つ又はそれ以上の異なった個別の要素（即ち「区分」）を一体に組み立て及び／又は接続することによって製造されている。ここでの使用に際し「区分」という用語は、構成要素が複数の区分から形成されている場合の構成要素の個々の部分を指す。そうして、構成要素の様々な区分は「ナックル」を使用して一体に連結されている。構成要素及びその諸区分の所望の機能性及び設計に基づき、これらのナックルは広範囲の形状及び構造を呈するものとなろう。例えば、ナックルは、高い機械的歪みの区域でのナックルを補強する構造的設計、高い捩れの区域での捩り運動に対抗する構造的設計、２つの区分が機械的に一体に連結されるようにそれら区分同士を一体にインターロックする構造的設計、区分同士の間に電気的絶縁を提供する構造的設計、など、を含むことができる。
【００１２】
図１は、本発明の一部の実施形態による電子デバイスの例示的な構成要素の概略図を示している。具体的に、図１は、区分１１０、１２０、１３０、及び１４０の様な幾つかの区分を一体に接続することによって製作されている外周構成要素１００を示している。外周構成要素１００は、電子デバイスの外装周囲面を形成するように製作されている。具体的には、外周構成要素１００は、電子デバイスの内部構成要素（例えば、電子回路、内部支持構造、など）の一部又は全てを取り囲む又は包むことができる。言い換えると、外周構成要素１００は、内部構成要素を中に設置させる内部体積を画定するものである。
【００１３】
外周構成要素１００の厚さ、長さ、高さ、及び断面は、例えば、構造的要件（例えば、硬度、又は特定の配置向きでの曲げ、圧縮、引張、又は捩れに対する抵抗）に基づくことを含め、何らかの適した判断基準に基づいて選択されればよい。一部の実施形態では、外周構成要素１００は、他の電子デバイス構成要素を搭載することのできる構造部材として働くことができる。外周構成要素１００の構造的完全性の一部は、それが画定している閉鎖された形状から来ているものである（例えば、外周構成要素１００は輪状物を形成し、而して構造的完全性を提供している）。
【００１４】
外周構成要素１００は、何れの適した形状の断面を有していてもよい。例えば、外周構成要素１００は、実質的に矩形の断面を有していてもよい。実質的に矩形の断面のそれぞれの角部は形状に丸みが付けられ、而して「スプライン」を形成していてもよい。ここでの使用に際し「スプライン」という用語は、外周構成要素の丸みの付けられた角部分を指す。一部の実施形態では、外周構成要素１００は、例えば、円形状、楕円形状、多角形状、又は曲線形状を含め、何か他の適した形状の断面を有していよう。一部の実施形態では、外周構成要素１００の断面の形状又は大きさは、電子デバイスの長さ又は幅に沿って変化していよう（例えば、砂時計の形状をしている断面）。
【００１５】
電子デバイスの外周構成要素１００は、何れの適したプロセスを用いて製作することもできる。一部の実施形態では、外周構成要素１００は、区分１１０と区分１２０を接合部１１２のところで一体に接続し、区分１２０と区分１３０を接合部１２２のところで一体に接続し、区分１３０と区分１４０を接合部１３２のところで一体に接続し、区分１４０と区分１１０を接合部１４２のところで一体に接続することによって、製作されている。外周構成要素１００は、図１には、４つの区分から製作されているものとして描かれているが、当業者には評価される様に、外周構成要素１００は、代わりに、２つ又はそれ以上という任意の適した数の区分から形成されることもあろうし、それら区分間の接合部は外周構成要素１００上の何れの場所に配置されていてもよい。
【００１６】
それぞれの区分１１０、１２０、１３０、及び１４０は、個々に製作され、後から組み立てられて外周構成要素１００を形成するものとされている。例えば、それぞれの区分は、型打ち、機械削り、加工、キャスティング、又はこれらの何らかの組合せ、のうちの１つ又はそれ以上を用いて個々に製作することができる。一部の実施形態では、区分１１０、１２０、１３０、及び１４０用として選択された材料は導電性であり、而して、それら区分が電子デバイスの電気的機能性を提供できるようにしている。例えば、区分１１０、１２０、１３０、及び／又は１４０は、ステンレス鋼又はアルミニウムの様な導電性材料から形成することができよう。一部の実施形態では、それぞれの区分は、電子デバイスのアンテナとして働いていることもある。
【００１７】
個々の区分を機械的に一体に連結するのに、ナックル１１４、１２４、１３４、及び１４４が接合部１１２、１２２、１３２、１４２にそれぞれ存在している。一部の実施形態では、ナックルのそれぞれは、第１の状態で始まり、その後、第２の状態へ変化することのできる材料から製作されている。例示として、ナックルは、第１の液体状態で始まり、その後、続いて第２の固体状態へ変化するプラスチックから製作することができよう。プラスチックは、液体状態にある間に、接合部１１２、１２２、１３２、及び１４２へ流し込ませることができる。これらの接合部へ流し込んだ後、続けてプラスチック材料をナックル１１４、１２４、１３４、及び１４４へと固化させてゆく（例えば、プラスチック材料を第２の固体状態へ変化させてゆく）。固体状態へ変化すると、プラスチック材料は、そのとき、区分１１０と区分１２０、区分１２０と区分１３０、及び区分１４０と区分１１０、それぞれの区分同士を一体に結合し、而して、単一の新しい構成要素（例えば外周構成要素１００）を形成させている。１つの実施形態では、ナックル１３４は、化粧であり、区分１３０と区分１４０を物理的に一体に連結しているわけではない。この実施形態では、区分１３０と区分１４０は、それらが物理的及び電気的に連結されるように一体に溶接されるものである。別の実施形態では、ナックル１３４は、本発明の原理に従って、区分１３０と区分１４０を物理的に一体に連結している。
【００１８】
ナックル１１４、１２４、及び１４４は、区分１１０と区分１２０、区分１２０と区分１３０、及び区分１４０と区分１１０、それぞれの区分同士を物理的に一体に連結するのみならず、それらは、区分１１０を区分１２０から、区分１２０を区分１３０から、及び区分１４０を区分１１０から、電気的に絶縁している。この論考上、区分１３０と区分１４０は、それらが一体に溶接されていることから電気的には同じ物であり、ナックル１３４は化粧であるものと想定する。以下により詳しく解説してゆくが、ナックル１１４、１２４、及び１４４は、区分１１０、１２０、１３０、及び１４０へ取り付けられているか又はそれら区分の一体に形成された部分であるとされる連結構造を包封し、及び／又は連結構造と共に存在している。つまりは、ナックルは、その第１の状態（例えば液体状態）にあるとき、連結構造の中及び／又は周りへ流れ込む。それぞれの接合部には、ナックルがその第２の状態（例えば固体状態）へ変態したときの形状を付けるために遮断デバイス（図示せず）が配置されていよう。図１に示されている様に、ナックル１１４及び１２４は形状が非対称であり、ナックル１４４は形状が対称である。
【００１９】
連結構造（図示せず）は、区分１１０、１２０、１３０、及び１４０上に存在している。一部の区分（例えば区分１１０及び１２０）はナックルとの接合につき２つの連結構造を有しているのに対し他の区分（例えば区分１３０及び１４０）は１つの連結構造を有しているということもある。一部の実施形態では、連結構造は、例えば図２に示されている様なブラケットとすることができる。ブラケットは、区分の内部表面へ取り付けられるか又は溶接されていてもよい。別の実施形態では、連結構造は、区分の一体に形成されている部分であって元から区分の一部であった部分とされている。図１では、ナックル１１４はブラケット及び一体に形成されている結合構造と接合しており、ナックル１２４及び１４４は２つのブラケットと接合している。
【００２０】
ナックル材料を接合部１１２、１２２、１３２、及び１４２へ設置するのに何れの適したプロセスが使用されてもよく、またナックル材料を第１の状態から第２の状態へ変化させるのに何れの適したプロセスが使用されてもよい。一部の実施形態では、ナックル材料を最初に液体状態で挿入しその後に硬化させる「成形プロセス」を使用することができよう。例えば、射出成形、圧縮成形、トランスファー成形、押出成形、ブロー成形、熱成形、真空成形、又は回転成形のプロセスうちの１つ又はそれ以上を使用することができよう。この場合、ナックル材料を単一の工程で挿入し次いで独立にその第２の状態へ変化させてゆく「ワンショット」プロセスを用いることもできる。言い換えると、ナックルは、追加の工程又は追加の製造プロセスを必要とすること無しに単一の工程（例えば「ワンショット」で）形成させることができる。
【００２１】
ナックル材料は、２つの区分を機械的に一体に連結し、また２つの区分を電気的に絶縁するのに、適した何れの材料であってもよい。ナックル材料は、熱可塑性プラスチックの様なプラスチックであってもよい。１つの実施形態では、ナックル材料は、ガラス充填ナイロンとされている。
【００２２】
図２Ａ−図２Ｇは、区分のうちの１つへ取り付けることのできる、本発明の実施形態による例示的なブラケット２００の幾つかの図を示している。具体的には、図２Ａ−図２Ｇは、それぞれ、ブラケット２００の後面図、上面図、前面図、左面図、右面図、下面図、及び等角投影図である。ブラケット２００は、平板状部材２４０から延びている３つの脚部２１０、２２０、及び２３０を含むものとされている。脚部２１０及び２２０は、どちらも、平板状部材２４０から離れるように直角（例えば９０度）に延びているのに対し、脚部２３０は脚部２３０から離れるように１乃至９０度の角度で延びていてもよい。脚部２３０は、ナックル材料のその第１の状態にあるときの流入を促すためにスロット２３２を有するものとすることができる。加えて、板２４０は、ナックル材料のその第１の状態にあるときの流入を促すために、何れかの適した形状の貫通孔２４２又は切り抜きを有するものとことができる。脚部２１０、２２０、及び２３０は、区分のうちの１つの表面へ溶接させるための足部２１４、２２４、及び２３４をそれぞれ有していてもよい。
【００２３】
ブラケット２００は、何れの適した材料から製作することもできる。一部の実施形態では、ブラケット２００は、金属（例えば鋼又はアルミニウム）の様な導電性材料から製作されている。一部の実施形態では、ブラケット２００は、それが溶接される相手の区分と同じ材料から製作されている。例えば、ブラケット２００とそれが溶接される相手の区分はどちらもステンレス鋼から製作することができよう。
【００２４】
区分と関連付けて、何れの適した構成のブラケットを使用することもできるものと理解している。例えば、図２Ｈ−図２Ｎは、本発明の実施形態により製作されたブラケット２５０の幾つかの図を示している。ブラケット２５０は、それが脚部及び溶接用の足部並びにナックル材料流入を促すための切り抜きを含んでいるといった様に、多くの点でブラケット２００と似ている。但し、ブラケット２５０は、例えば区分の湾曲した部分に沿わせ易くするために、ブラケット２００よりも僅かに小さい寸法にされている。
【００２５】
次に図３Ａ及び図３Ｂを参照すると、区分３００へ溶接されているブラケット２００の例示的な図が示されている。具体的には、図３Ａは例示的な断面図であり、図３Ｂは例示的な上面図である。ブラケット２００は、区分３００の陥凹３１０内に着座していることが示されている。陥凹３１０は、区分３００の製造中又は製造後に区分３００から機械で削り取られているものである。陥凹３１０は、ナックルの一部分がその第１の状態から第２の状態へ遷移する際にそれを保定するための器として働く。示されている様に、陥凹３１０には足部２１４、２２４、及び２３４が溶接されている。この溶接は、物理的にブラケット２００を区分３００へ固定し、電気的にブラケットを区分３００へ連結している。
【００２６】
ブラケット２００の縁は区分３００の縁と整列している。この整列は、ブラケット２００及び区分３００の一部分を物理的に切り取るという切削動作の成果である。２つの区分を一体に連結しているナックルのキャパシタンスを制御するのはブラケット２００及び区分３００の整列した縁の総断面積である。断面積が小さければ、概して、キャパシタンスは小さくなる。区分がアンテナとして使用される実施形態では、より低いキャパシタンスはアンテナ性能を高める。断面積は、例えば、ブラケット２００の厚さを増加すること又は異なった断面形状を有するブラケットを使用することによって、変えることができる。異なった断面形状を有する別のブラケット４００の一例として図４を参照されたし。
【００２７】
図５Ａは、本発明の実施形態による、各自のブラケット２００が溶接されている（図１の）区分１１０及び１４０の例示的な拡大斜視図を示している。図５Ａは、更に、それぞれのブラケット２００の平板状部材の上面へ溶接されている接点部材５２０及び５４０を示している。接点部材５２０及び５４０は、ブラケット２００の切り抜き２４２を真似ていてナックル材料のその第１の状態にあるときの流入を促す切り抜きを有している。接点部材５２０及び５４０の一部分は、ナックル材料がブラケット２００及び部材５２０と５４０を包封した後も露出したままにされる。露出部分は、導体（例えばアンテナ導体）を、それが一方の区分１２０又は１４０へ電気的に連結されるように、接続するためのはんだパッドを提供することができる。
【００２８】
区分１１０の側壁と区分１４０の側壁の間にはギャップ５１０が存在する。ギャップ５１０は、ナックル材料の塗工中に側壁とブラケット２００の間に維持させる所定の距離を有するものとされている。材料を塗工すると、それはブラケット２００と部材５２０及び５４０の中及び周りに流れ、ブラケット２００が着座している陥凹を満たしてゆく。材料が固まった後、結果としてナックル１４４（図５Ｂ）がもたらされる。
【００２９】
図５Ｂは、本発明の実施形態によるナックル１４４の斜視図である。示されている様に、ナックル１４４は、区分１００と区分１４０を物理的に一体に連結しているが、確実にそれらがギャップ５１０の距離によって電気的に絶縁されるようにしている。接点部材５２０及び５４０の一部分は、ナックル１４４が固まっても露出している。接点部材５２０及び５４０は、随意であり、それぞれのナックルについて必須というわけではない。例えば、ナックル１２４は接点部材を一切包封していないこともあろう。
【００３０】
図６Ａは、本発明の実施形態による図１のナックル１２４の斜視図を示している。ナックル１２４は、２つのブラケット（図示せず）を包封し、区分１２０と区分１３０を機械的に一体に連結することができ、確実にそれらがギャップ７１０によって電気的に絶縁されるようにしている。図６Ｂ及び図６Ｃは、区分１２０及び１３０へそれぞれ取り付けられているブラケット２００及び２５０の斜視図及び上面図をそれぞれ示している。ブラケット２５０は、その相方のブラケット２００よりも少しだけ小さい寸法であり、而して、区分１２０の様な湾曲した区分に取り付けるのにはより適していよう。
【００３１】
図７は、図６ＡのＡ−Ａ線に沿った断面図を示している。断面図は、区分１３０の側壁７３２、ナックル１２４、及びブラケット２００を示している。板部材２４０と整列している垂直中心軸７０１も示されている。板部材２４０を二分する水平中心軸７０２も示されている。ナックル１２４の厚さは中心軸７０１及び７０２の両側で等しい。これにより、確実に、ナックル１２４がブラケットの周りに一様に分配され、最適な機械的連結強度を提供できるようになる。
【００３２】
図８Ａ−図８Ｃは、本発明の実施形態による接合部１１２の様々な例示的な図を示している。図８Ａは、区分１２０へ取り付けられているブラケット２５０を示し、更には、一体化された連結構造８５０を示している。図８Ｂ及び図８Ｃは、ブラケット２５０及び連結構造８５０と接合しているナックル１１４を示している。
【００３３】
図９は、本発明の実施形態による、２つの導電性区分を機械的に一体に連結するための例示としてのプロセスを示している。工程９１０で始まり、第１及び第２の導電性区分が提供される。導電性区分は、それぞれ、内面と側壁を有している。例えば、導電性区分は、図１の区分１１０及び１２０としてもよい。それら区分は、事前に機械削りされるか又は製造されている別々の構成要素である。所望される場合、陥凹がそれぞれの区分の一部分から、具体的には内面の一部分から、機械で削り取られてもよい。
【００３４】
工程９２０で、第１のブラケットが第１の導電性区分の内面へ溶接され、第２のブラケットが第２の導電性区分の内面へ溶接される。ブラケットは、例えば図２に見ることができる。溶接は、ブラケットを各自の区分へ物理的及び電気的に連結する。一部の実施形態では、ブラケットは区分の陥凹内に溶接することができる。他の実施形態では、接点部材（例えば図５に示されているもの）がブラケットへ溶接されていてもよい。
【００３５】
工程９３０で、第１及び第２の区分は所定位置に固定され、２つの区分の間に所定の距離のギャップが機械削りされる。機械削りは、それぞれの区分の一部分及びブラケットの一部分を精確に切り取り、また一部の実施形態では、接点部材が存在する場合その一部分を切り取る。得られたギャップは、区分同士が固定されているため維持される。
【００３６】
工程９４０で第１及び第２のブラケットの内及び周りにナックルが成形され、第１及び第２の導電性区分を機械的に一体に連結するものであり、ここに、第１及び第２の導電性区分の側壁同士はナックルの一部分によって占められている所定の距離のギャップによって隔てられている。ナックルの成形中、ナックル材料の流れを形状付けし制御するために遮断デバイスが区分へ適用されていてもよい。ナックル材料は、それが溶融状態又は液体状態にあるときに、ブラケット（及び随意的な接点部材）を取り囲み、陥凹を満たす。
【００３７】
工程９５０で、区分及びナックルへ化粧仕上げプロセスが施される。このプロセスは、ナックルの一部分を刈り取ること及び区分を所望の審美的魅力に適うように磨くことを伴っているかもしれない。
【００３８】
以上に説明されているプロセスは例示に過ぎないものと理解されたい。
【００３９】
本発明の範囲から逸脱すること無く、工程の何れかが、削除、修正、又は組み合わされてもよく、何らかの追加の工程が加えられてもよいし、又は工程は異なった順序で遂行されてもよい。
【００４０】
本発明の説明されている実施形態は、例示を目的に提示されているものであり、限定を目的に提示されているのではない。
【符号の説明】
【００４１】
１００  外周構成要素
１１０、１２０、１３０、１４０  区分
１１２、１２２、１３２、１４２  接合部
１１４、１２４、１３４、１４４  ナックル
２００  ブラケット
２１０、２２０、２３０  脚部
２１４、２２４、２３４  足部
２３２  スロット
２４０  平板状部材
２４２  貫通孔
２５０  ブラケット
３００  区分
３１０  陥凹
４００  ブラケット
５１０  ギャップ
５２０、５４０  接点部材
７０１  垂直中心軸
７０２  水平中心軸
７１０  ギャップ
７３２  側壁
８５０  連結構造
【図１】
0005914664.tif 000002
【図２Ａ】
0005914664.tif 000003
【図２Ｂ】
0005914664.tif 000004
【図２Ｃ】
0005914664.tif 000005
【図２Ｄ】
0005914664.tif 000006
【図２Ｅ】
0005914664.tif 000007
【図２Ｆ】
0005914664.tif 000008
【図２Ｇ】
0005914664.tif 000009
【図２Ｈ】
0005914664.tif 000010
【図２Ｉ】
0005914664.tif 000011
【図２Ｊ】
0005914664.tif 000012
【図２Ｋ】
0005914664.tif 000013
【図２Ｌ】
0005914664.tif 000014
【図２Ｍ】
0005914664.tif 000015
【図２Ｎ】
0005914664.tif 000016
【図３Ａ】
0005914664.tif 000017
【図３Ｂ】
0005914664.tif 000018
【図４】
0005914664.tif 000019
【図５Ａ】
0005914664.tif 000020
【図５Ｂ】
0005914664.tif 000021
【図６Ａ】
0005914664.tif 000022
【図６Ｂ】
0005914664.tif 000023
【図６Ｃ】
0005914664.tif 000024
【図７】
0005914664.tif 000025
【図８Ａ】
0005914664.tif 000026
【図８Ｂ】
0005914664.tif 000027
【図８Ｃ】
0005914664.tif 000028
【図９】
0005914664.tif 000029